(57)【特許請求の範囲】
【請求項１】
サーバと、
前記サーバに接続された設計者端末と、
前記サーバに接続された利用者端末とを備える３Ｄプリンタ用データシェアシステムであって、
前記設計者端末は、設計者が設計した３Ｄプリンタ用の造形データ及び材料データを、前記サーバに対してアップロード可能であり、
前記サーバは、前記設計者端末によりアップロードされた前記造形データ及び前記材料データを記憶する記憶部を備え、
前記材料データには、複数の材料を調合すべき内容の情報が含まれており、
前記利用者端末は、前記サーバの前記記憶部に記憶されている前記造形データ及び前記材料データを、前記サーバからダウンロード可能であることを特徴とする３Ｄプリンタ用データシェアシステム。
【請求項２】
前記サーバは、前記サーバの前記記憶部に記憶されている前記造形データを、３Ｄプリンタにインポート可能なデータに変換する変換部を備えることを特徴とする請求項１記載の３Ｄプリンタ用データシェアシステム。
【請求項３】
前記利用者端末は、使用する３Ｄプリンタの機種に関する機種情報を前記サーバに対して送信可能であり、
前記サーバは、前記機種情報に基づいて、使用する３Ｄプリンタの機種に適した前記造形データ及び前記材料データを選択可能であり、
前記利用者端末は、使用する３Ｄプリンタの機種に適した前記造形データ及び前記材料データをダウンロード可能であることを特徴とする請求項１記載の３Ｄプリンタ用データシェアシステム。
【請求項４】
前記利用者端末は、３Ｄプリンタで造形する造形物に関する造形物情報を前記サーバに対して送信可能であり、
前記サーバは、前記造形物情報に基づいて、３Ｄプリンタで造形する造形物に適した前記造形データ及び前記材料データを選択可能であり、
前記利用者端末は、３Ｄプリンタで造形する造形物に適した前記造形データ及び前記材料データをダウンロード可能であることを特徴とする請求項１記載の３Ｄプリンタ用データシェアシステム。
【請求項５】
前記利用者端末は、前記サーバの前記記憶部に記憶されている前記造形データ及び前記材料データを閲覧可能であることを特徴とする請求項１記載の３Ｄプリンタ用データシェアシステム。
【発明の詳細な説明】
【技術分野】
【０００１】
本発明は、３Ｄプリンタ用データシェアシステムに係り、特に、サーバ、設計者端末及び利用者端末を備える３Ｄプリンタ用データシェアシステムに関する。
【背景技術】
【０００２】
特許文献１には、コンテンツのスライスデータをクライアント端末に配信する管理サーバと、コンテンツのスライスデータを受け取るクライアント端末と、を有する３Ｄプリンタ用コンテンツ提供システムが記載されている。
しかし、特許文献１の技術では、管理サーバの管理者だけしか３Ｄプリンタ用の造形データ及び材料データを提供することができず、３Ｄプリンタ用の造形データ及び材料データを幅広くシェアすることができない。
【先行技術文献】
【特許文献】
【０００３】
【特許文献１】特開２０１８−３２０６４号公報
【発明の概要】
【発明が解決しようとする課題】
【０００４】
そこで、本発明の課題は、３Ｄプリンタ用の造形データ及び材料データを幅広くシェアすることができる３Ｄプリンタ用データシェアシステムを提供することにある。
【課題を解決するための手段】
【０００５】
上記課題達成のため、請求項１記載の発明にあっては、サーバと、前記サーバに接続された設計者端末と、前記サーバに接続された利用者端末とを備える３Ｄプリンタ用データシェアシステムであって、前記設計者端末は、設計者が設計した３Ｄプリンタ用の造形データ及び材料データを、前記サーバに対してアップロード可能であり、前記サーバは、前記設計者端末によりアップロードされた前記造形データ及び前記材料データを記憶する記憶部を備え、前記材料データには、複数の材料を調合すべき内容の情報が含まれており、前記利用者端末は、前記サーバの前記記憶部に記憶されている前記造形データ及び前記材料データを、前記サーバからダウンロード可能であることを特徴とする。
従って、本発明に係る３Ｄプリンタ用データシェアシステムにあっては、設計者端末では、造形データだけでなく材料データもアップロード可能であり、利用者端末では、造形データだけでなく材料データもダウンロード可能である。また、本発明に係る３Ｄプリンタ用データシェアシステムにあっては、複数の材料の調合が必要な場合にも、複数の材料が自動的に選択される。
【０００６】
請求項２記載の発明にあっては、前記サーバは、前記サーバの前記記憶部に記憶されている前記造形データを、３Ｄプリンタにインポート可能なデータに変換する変換部を備えることを特徴とする。
従って、本発明に係る３Ｄプリンタ用データシェアシステムにあっては、造形データが自動的にインポート可能なデータに変換され、利用者が造形データを変換する必要がなくなる。
【０００７】
請求項３記載の発明にあっては、前記利用者端末は、使用する３Ｄプリンタの機種に関する機種情報を前記サーバに対して送信可能であり、前記サーバは、前記機種情報に基づいて、使用する３Ｄプリンタの機種に適した前記造形データ及び前記材料データを選択可能であり、前記利用者端末は、使用する３Ｄプリンタの機種に適した前記造形データ及び前記材料データをダウンロード可能であることを特徴とする請求項１記載の３Ｄプリンタ用データシェアシステム。
従って、本発明に係る３Ｄプリンタ用データシェアシステムにあっては、使用する３Ｄプリンタの機種に適した造形データ及び材料データが自動的に選択される。
【０００８】
請求項４記載の発明にあっては、前記利用者端末は、３Ｄプリンタで造形する造形物に関する造形物情報を前記サーバに対して送信可能であり、前記サーバは、前記造形物情報に基づいて、３Ｄプリンタで造形する造形物に適した前記造形データ及び前記材料データを選択可能であり、前記利用者端末は、３Ｄプリンタで造形する造形物に適した前記造形データ及び前記材料データをダウンロード可能であることを特徴とする請求項１記載の３Ｄプリンタ用データシェアシステム。
【０００９】
従って、本発明に係る３Ｄプリンタ用データシェアシステムにあっては、造形する造形物に適した造形データ及び材料データが自動的に選択される。
【００１０】
請求項５記載の発明にあっては、前記利用者端末は、前記サーバの前記記憶部に記憶されている前記造形データ及び前記材料データを閲覧可能であることを特徴とする。
従って、本発明に係る３Ｄプリンタ用データシェアシステムにあっては、利用者が欲している造形データ及び材料データが見つけやすくなる。
【発明の効果】
【００１１】
請求項１記載の発明にあっては、サーバと、前記サーバに接続された設計者端末と、前記サーバに接続された利用者端末とを備える３Ｄプリンタ用データシェアシステムであって、前記設計者端末は、設計者が設計した３Ｄプリンタ用の造形データ及び材料データを、前記サーバに対してアップロード可能であり、前記サーバは、前記設計者端末によりアップロードされた前記造形データ及び前記材料データを記憶する記憶部を備え、前記利用者端末は、前記サーバの前記記憶部に記憶されている前記造形データ及び前記材料データを、前記サーバからダウンロード可能であることから、従来技術とは異なり、管理サーバの管理者のみならず、広く多数の設計者はサーバにアクセスして様々な造形データ及び設計データをアップロードすることができる。
設計者端末では、造形データだけでなく材料データもアップロード可能であり、利用者端末では、造形データだけでなく材料データもダウンロード可能であるため、造形データ及び材料データを幅広くシェアすることができ、３Ｄプリンタに詳しくない者であっても、造形予定物の製作にあたり、どのような造形データ及び材料データを選択使用すれば適切なのかの判断が容易となり、造形予定物に適した造形データ及び材料データを選択することができる。
その結果、より広く、多くの設計者から提供された多種多様な造形データ及び材料データをサーバを介して利用者との間で取引を行うことができ、誰しもが３Ｄプリンタ使用して容易に造形物を作製することが可能になる。
【００１２】
また、前記材料データには、複数の材料を調合すべき内容の情報が含まれていることから、複数の材料の調合が必要な場合にも、複数の材料が自動的に選択されるため、例えば、セラミックス材料により造形物を製作できる「セラミックス３Ｄプリンタ」も存在するが、セラミックスにもさまざまな種類があり、また、それぞれの材料を調合する必要がある場合にも簡単に対応可能となる。
【００１３】
請求項２記載の発明にあっては、前記サーバは、前記サーバの前記記憶部に記憶されている前記造形データを、３Ｄプリンタにインポート可能なデータに変換する変換部を備えることから、造形データが自動的にインポート可能なデータに変換され、利用者が造形データを変換する必要がなくなるため、造形データを利用する利用者の手間を軽減させることができる。
【００１４】
請求項３記載の発明にあっては、前記利用者端末は、使用する３Ｄプリンタの機種に関する機種情報を前記サーバに対して送信可能であり、前記サーバは、前記機種情報に基づいて、使用する３Ｄプリンタの機種に適した前記造形データ及び前記材料データを選択可能であり、前記利用者端末は、使用する３Ｄプリンタの機種に適した前記造形データ及び前記材料データをダウンロード可能であることから、使用する３Ｄプリンタの機種に適した造形データ及び材料データが自動的に選択されるため、３Ｄプリンタの機種によっては材料物性により造形時の制御が困難の場合もあるが、このような場合にも、使用する３Ｄプリンタに適した造形データ及び材料データをダウンロード可能となる。
【００１５】
請求項４記載の発明にあっては、前記利用者端末は、３Ｄプリンタで造形する造形物に関する造形物情報を前記サーバに対して送信可能であり、前記サーバは、前記造形物情報に基づいて、３Ｄプリンタで造形する造形物に適した前記造形データ及び前記材料データを選択可能であり、前記利用者端末は、３Ｄプリンタで造形する造形物に適した前記造形データ及び前記材料データをダウンロード可能であることから、造形する造形物に適した造形データ及び材料データが自動的に選択されるため、造形物を造形する際には、非常に多種類であって、材料特性がそれぞれ異なり、造形予定物そのものや、製作の目的に最適な材料を選択する必要があると共に、使用する３Ｄプリンタに応じて適切な材料を適宜選択しなければならないが、このような選択、判断にも、専門知識を必要とせずに、一般の利用者にも簡単に、造形データ及び材料データの選択が可能となる。
【００１６】
請求項５記載の発明にあっては、前記利用者端末は、前記サーバの前記記憶部に記憶されている前記造形データ及び前記材料データを閲覧可能であることから、利用者が欲している造形データ及び材料データが見つけやすくなるため、利用者の利便性が向上する。
【図面の簡単な説明】
【００１７】
【図１】本発明に係る３Ｄプリンタ用データシェアシステムの一実施の形態を示す概念図である。
【図２】本発明に係る３Ｄプリンタ用データシェアシステムの一実施の形態を示すブロック図である。
【図３】本発明に係る３Ｄプリンタ用データシェアシステムの一実施の形態のタイミングチャートを示す図である。
【発明を実施するための形態】
【００１８】
以下、本発明に係る一実施の形態について、図面を参照しながら説明する。
図１及び図２に示すように、本実施の形態に係る３Ｄプリンタ用データシェアシステム１０は、サーバ２０と、サーバ２０に接続された設計者端末３０と、サーバ２０に接続された利用者端末４０とを備える３Ｄプリンタ用データシェアシステム１０であって、設計者端末３０は、設計者が設計した３Ｄプリンタ用の造形データ５０及び材料データ５１を、サーバ２０に対してアップロード可能であり、サーバ２０は、設計者端末３０によりアップロードされた造形データ５０及び材料データ５１を記憶する記憶部２２（図２参照）を備え、利用者端末４０は、サーバ２０の記憶部２２に記憶されている造形データ５０及び材料データ５１を、サーバ２０からダウンロード可能である。
従って、本実施の形態に係る３Ｄプリンタ用データシェアシステム１０にあっては、設計者端末３０では、造形データ５０だけでなく材料データ５１もアップロード可能であり、利用者端末４０では、造形データ５０だけでなく材料データ５１もダウンロード可能である。
設計者端末３０や利用者端末４０は、パーソナルコンピュータであってもよく、スマートフォン等の携帯型情報処理端末であってもよい。
【００１９】
図１に示すように、設計者Ｐ１は、設計者端末３０を利用して、造形データ５０及び材料データ５１をサーバ２０にアップロードする。
一方、利用者Ｐ２は、利用者端末４０を利用して、造形データ５０及び材料データ５１をサーバ２０からダウンロードする。利用者Ｐ２は、３ＤプリンタＰ３を所持しており、ダウンロードしたデータを用いて好みの造形物を造形することができる。
また、利用者Ｐ２は、サーバ２０の管理者に造形データ５０及び材料データ５１の所定の購入代金を支払い、サーバ２０の管理者は、設計者Ｐ１に所定の売上金を支払う。
【００２０】
図２に示すように、本実施の形態に係る３Ｄプリンタ用データシェアシステム１０は、サーバ２０と、サーバ２０に接続された設計者端末３０と、サーバ２０に接続された利用者端末４０とを備えている。
また、サーバ２０は、制御部２１と、記憶部２２と、選択部２３と、変換部２４とを備えている。
制御部２１は、サーバ２０全体を制御する部分である。制御部２１は、利用者端末４０からの閲覧要求５２（図３参照）に応じて、利用者端末４０に閲覧用データ５３（図３参照）を送信する。これにより、利用者端末４０では、サーバ２０の記憶部２２に記憶されている造形データ５０及び材料データ５１を閲覧することができる。
【００２１】
制御部２１は、利用者端末４０からのダウンロード要求５４（図３参照）に応じて、利用者端末４０に造形データ５０及び材料データ５１を送信する。ダウンロード要求は、利用者が、取得したい造形データ５０及び材料データ５１を指定する要求である。これにより、利用者端末４０は、サーバ２０の記憶部２２に記憶されている造形データ５０及び材料データ５１をダウンロードすることができる。
記憶部２２は、設計者端末３０によりアップロードされた造形データ５０及び材料データ５１を記憶する記憶処理を実行する。
選択部２３は、機種情報５５（図３参照）及び造形物情報５６（図３参照）に適した造形データ５０及び材料データ５１を選択する選択処理を実行する。
【００２２】
変換部２４は、造形データ５０を変換する変換処理を実行する。変換部２４は、利用者端末４０からの変換要求５７に応じて、サーバ２０の記憶部２２に記憶されている造形データ５０を、３Ｄプリンタにインポート可能なデータに変換する。変換部２４は、拡張子がＳＴＬやＯＢＪ等の３Ｄプリンタ用の造形データを、スライサーソフト等を利用して、３Ｄプリンタに利用可能なデータに変換する。変換する造形データは、ダウンロード要求のあった造形データである。
従って、本実施の形態に係る３Ｄプリンタ用データシェアシステム１０にあっては、造形データ５０が自動的に利用可能なデータに変換され、利用者が造形データ５０を変換する必要がなくなる。
【００２３】
利用者端末４０は、使用する３Ｄプリンタの機種に関する機種情報５５（図３参照）をサーバ２０に対して送信可能である。
サーバ２０は、機種情報５５に基づいて、使用する３Ｄプリンタの機種に適した造形データ５０及び材料データ５１を選択可能である。
利用者端末４０は、使用する３Ｄプリンタの機種に適した造形データ５０及び材料データ５１をダウンロード可能である。
従って、本実施の形態に係る３Ｄプリンタ用データシェアシステム１０にあっては、使用する３Ｄプリンタの機種に適した造形データ５０及び材料データ５１が自動的に選択される。
【００２４】
例えば、３Ｄプリンタの機種に関する機種情報としてＡ機種、Ｂ機種、Ｃ機種があり、そのうちのＡ機種が指定されている場合、選択部２３は、Ａ機種に適した造形データ及び材料データを選択する。
【００２５】
利用者端末４０は、３Ｄプリンタで造形する造形物に関する造形物情報５６（図３参照）をサーバ２０に対して送信可能である。
サーバ２０は、造形物情報５６に基づいて、３Ｄプリンタで造形する造形物に適した造形データ５０及び材料データ５１を選択可能である。
利用者端末４０は、３Ｄプリンタで造形する造形物に適した造形データ５０及び材料データ５１をダウンロード可能である。
従って、本実施の形態に係る３Ｄプリンタ用データシェアシステム１０にあっては、造形する造形物に適した造形データ５０及び材料データ５１が自動的に選択される。
【００２６】
例えば、造形物のサイズに関する造形物情報として小サイズ、中サイズ、大サイズがあり、そのうちの小サイズが指定されている場合、選択部２３は、小サイズに適した造形データ及び材料データを選択する。
【００２７】
利用者端末４０は、サーバ２０の記憶部２２に記憶されている造形データ５０及び材料データ５１を閲覧可能である。
従って、本実施の形態に係る３Ｄプリンタ用データシェアシステム１０にあっては、利用者が欲している造形データ５０及び材料データ５１が見つけやすくなる。
【００２８】
材料データ５１には、複数の材料を調合すべき内容（例えば、Ａ材料とＢ材料とを１対１で調合すべきであるという内容）の情報が含まれていることがある。従って、本実施の形態に係る３Ｄプリンタ用データシェアシステム１０にあっては、複数の材料の調合が必要な場合にも、複数の材料が自動的に選択される。
【００２９】
次に、サーバ２０、設計者端末３０及び利用者端末４０の処理の流れについて説明する。
図３に示すように、設計者端末３０が、サーバ２０に対して造形データ５０及び材料データ５１を送信すると（Ｓ１）、サーバ２０は、造形データ５０及び材料データ５１を、記憶部２２に記憶する記憶処理を実行する（Ｓ２）。
【００３０】
また、利用者端末４０が、サーバ２０に対して閲覧要求５２を送信すると（Ｓ３）、サーバ２０は、利用者端末４０に対して閲覧用データ５３を送信する（Ｓ４）。
【００３１】
さらに、利用者端末４０が、サーバ２０に対してダウンロード要求５４を送信すると（Ｓ５）、サーバ２０は、必要に応じて選択処理（Ｓ６）や変換処理（Ｓ７）を実行し、利用者端末４０に対して造形データ５０及び材料データ５１を送信する（Ｓ８）。
ダウンロード要求５４には、機種情報５５、造形物情報５６、変換要求５７が含まれていることがあり、サーバ２０は、これらの情報に応じて選択処理（Ｓ６）や変換処理（Ｓ７）を実行する。なお、機種情報５５、造形物情報５６、変換要求５７は、利用者端末４０の表示画面上で質問を行い、その回答をデータ化することにより送信することができる。
【００３２】
以上説明したように、本実施の形態に係る３Ｄプリンタ用データシェアシステム１０にあっては、設計者端末３０では、造形データ５０だけでなく材料データ５１もアップロード可能であり、利用者端末４０では、造形データ５０だけでなく材料データ５１もダウンロード可能であるため、造形データ５０及び材料データ５１を幅広くシェアすることができ、３Ｄプリンタに詳しくない者であっても、造形予定物の製作にあたり、どのような造形データ５０及び材料データ５１を選択使用すれば適切なのかの判断が容易となり、造形予定物に適した造形データ５０及び材料データ５１を選択することができる。
【００３３】
また、本実施の形態に係る３Ｄプリンタ用データシェアシステム１０にあっては、造形データ５０が自動的にインポート可能なデータに変換され、利用者が造形データを変換する必要がなくなるため、造形データ５０を利用する利用者の手間を軽減させることができる。
【００３４】
さらに、本実施の形態に係る３Ｄプリンタ用データシェアシステム１０にあっては、使用する３Ｄプリンタの機種に適した造形データ５０及び材料データ５１が自動的に選択されるため、３Ｄプリンタの機種によっては材料物性により造形時の制御が困難の場合もあるが、このような場合にも、使用する３Ｄプリンタに適した造形データ５０及び材料データ５１をダウンロード可能となる。
【００３５】
さらにまた、本実施の形態に係る３Ｄプリンタ用データシェアシステム１０にあっては、造形する造形物に適した造形データ５０及び材料データ５１が自動的に選択されるため、造形物を造形する際には、非常に多種類であって、材料特性がそれぞれ異なり、造形予定物そのものや、製作の目的に最適な材料を選択する必要があると共に、使用する３Ｄプリンタに応じて適切な材料を適宜選択しなければならないが、このような選択、判断にも、専門知識を必要とせずに、一般の利用者にも簡単に、造形データ５０及び材料データ５１の選択が可能となる。
【００３６】
その上、本実施の形態に係る３Ｄプリンタ用データシェアシステム１０にあっては、閲覧によって利用者が欲している造形データ５０及び材料データ５１が見つけやすくなるため、利用者の利便性が向上する。
【００３７】
また、本実施の形態に係る３Ｄプリンタ用データシェアシステム１０にあっては、複数の材料の調合が必要な場合にも、複数の材料が自動的に選択されるため、例えば、セラミックス材料により造形物を製作できる「セラミックス３Ｄプリンタ」も存在するが、セラミックスにもさまざまな種類があり、また、それぞれの材料を調合する必要がある場合にも簡単に対応可能となる。
【００３８】
また、本実施の形態に係る３Ｄプリンタ用データシェアシステム１０にあっては、造形データ５０及び材料データ５１をシェア販売することができる。例えば、生活雑貨品の造形データを１００円で公開した場合、１万ダウンロードで１００万円の売り上げとなる。売り上げのうち、１５％を粗利益と考えた場合、設計者の利益は８５万円となり、サーバ２０の管理者の利益は１５万円となる。そして、最大のメリットは、利用者は、造形データ５０及び材料データ５１を格安（１００円）で購入することが可能となり、３方良しのＷｉｎ−Ｗｉｎの関係が成立させることができる。
【００３９】
また、本実施の形態に係る３Ｄプリンタ用データシェアシステム１０にあっては、例えば、フェイスシールドの造形に対しても社会貢献することができる。
現在、新型コロナウイルスの影響でフェイスシールドが不足しているが、本実施の形態に係る３Ｄプリンタ用データシェアシステム１０を利用することにより、世界中の設計者から最適なフェイスシールドの造形データ５０及び材料データ５１を集めることができる。そして、集まったフェイスシールドの造形データ５０及び材料データ５１を無料公開し、世界中の人が自宅でフェイスシールドを造形し、同時に大量生産することが可能となる。
【００４０】
また、本実施の形態に係る３Ｄプリンタ用データシェアシステム１０にあっては、工業用量産部品に対しても貢献することができる。
時代は、５Ｇ（第５世代移動通信システム）から６Ｇ（第６世代移動通信システム）に移行する時代である。そして、複数の拠点に設置している数千台の３ＤプリンタをＩｏｔ（Ｉｎｔｅｒｎｅｔ  ｏｆ  Ｔｈｉｎｇｓ）でネットワークに接続し、ブロックチェーンで安全管理、一括操作で必要な部品を必要な場所で同時に製造することにより、生産システムの最適化が可能になる。これにより、在庫フリーで在庫リスクがゼロになり、アフターパーツもデータで保管し、金型管理の必要もなくなる。
【００４１】
また、本実施の形態に係る３Ｄプリンタ用データシェアシステム１０にあっては、部品の海外貿易に対しても貢献することができる。
本実施の形態に係る３Ｄプリンタ用データシェアシステム１０を採用することにより、製品流通の必要性がなく、物流コストがゼロになり、海外の製造拠点も直接管理して、データのみのやりとりが可能となる。
さらに、芸術分野に対しては、３Ｄプリンタを活用した新しい芸術の創出が可能となる。
【００４２】
そして、本実施の形態に係る３Ｄプリンタ用データシェアシステム１０を導入することにより、広く社会と人々に貢献し、ＳＤＧｓ（持続可能な開発目標）を達成可能なＥＳＧ投資（環境や社会、ガバナンスに対して積極的な取り組みをする企業への投資）が可能となる。
【００４３】
上述した実施の形態にあっては、以下の変形が可能である。
（１）３Ｄプリンタ用データシェアシステム１０は、無料登録会員制とすることができる。
（２）造形データ５０及び材料データ５１は、無料公開と有料公開とに分けることができる。
（３）３Ｄプリンタ用データシェアシステム１０の利用については、個人向けと法人向けとに分けることができる。
（４）３Ｄプリンタ用データシェアシステム１０の利用については、サブスクリプションプラン（月ごとや年ごとに料金が発生するプラン）を設定することができる。
【００４４】
（５）造形データ５０の変換は、オプションのサービスとすることができる。例えば、利用者端末４０で造形データが選択されると、造形データ５０が自動的に変換され、利用者端末４０に送信される。
（６）造形データ５０及び材料データ５１を利用した造形品を、サーバ２０の管理者が３Ｄプリンタで造形し、直接インターネット上で販売してもよい。
（７）設計者Ｐ１がアップロードするデータは、スライサーソフトで変換したデータであってもよく、変換前のデータであってもよい。
【産業上の利用可能性】
【００４５】
本発明は３Ｄプリンタ用データシェアシステムに係ることから、広く産業上の利用可能性を有している。
【符号の説明】
【００４６】
１０    ３Ｄプリンタ用データシェアシステム
２０    サーバ
２１    制御部
２２    記憶部
２３    選択部
２４    変換部
３０    設計者端末
４０    利用者端末
５０    造形データ
５１    材料データ
５２    閲覧要求
５３    閲覧用データ
５４    ダウンロード要求
５５    機種情報
５６    造形物情報
Ｐ１    設計者
Ｐ２    利用者
Ｐ３    ３Ｄプリンタ
【要約】
【課題】３Ｄプリンタ用の造形データ及び材料データを幅広くシェアすることができる３Ｄプリンタ用データシェアシステムを提供する。
【解決手段】サーバと、前記サーバに接続された設計者端末と、前記サーバに接続された利用者端末とを備える３Ｄプリンタ用データシェアシステムであって、前記設計者端末は、設計者が設計した３Ｄプリンタ用の造形データ及び材料データを、前記サーバに対してアップロード可能であり、前記サーバは、前記設計者端末によりアップロードされた前記造形データ及び前記材料データを記憶する記憶部を備え、前記利用者端末は、前記サーバの前記記憶部に記憶されている前記造形データ及び前記材料データを、前記サーバからダウンロード可能であることを特徴とする３Ｄプリンタ用データシェアシステム。
【選択図】図１【図１】
0006963670.tif 000002
【図２】
0006963670.tif 000003
【図３】
0006963670.tif 000004